(57)【要約】      （修正有）【課題】食品包装用ラップフィルムの収納と包装を兼ねた切断歯付設の容器において、使用量を容器から引き出して切断する時、容器の変形を防ぎスムーズな切断ができるようにする。【解決手段】容器１の背面板２の中央部分に１本乃至４本の手指が入る切抜き穴３を設ける、切断時に容器１を持つ手指の指先１本乃至２本を切抜き穴３に挿入して中のラップフィルムローラー１１を正面板８に押圧する、親指は蓋板前面７を押圧してラップフィルム６を固定する。親指の力が強くてもラップフィルムローラー１１が支えて容器の変形を防ぎ、同時にラップフィルム６が強く固定されるのでスムーズに切断できる。【選択図】図１
0003220420.tif 000002
【実用新案登録請求の範囲】
【請求項１】
ラップフィルム収納容器（１）の背面板（２）の中央部分に、１本乃至４本の手指が挿入できる切抜き穴（３）を設けたことを特徴とするラップフィルム収納容器。
【請求項２】
反発力を有する材質で切抜き穴（３）を塞ぐ大きさの閉塞板（４）を、背面板（２）の内側に、切抜き穴（３）を開閉自在に塞げる位置に、当該閉塞板（４）の一部を固着したことを特徴とする、請求項１記載のラップフィルム収納容器。
【請求項３】
ラップフィルム収納容器Ａ（１３）の背面板Ａ（１４）の中央部分に、１本乃至４本の手指が挿入できる切抜き穴Ａ（１６）を設ける時の位置に、当該切抜き穴Ａ（１６）の形状の縁に沿って切れ目（１５）を入れたことを特徴とするラップフィルム収納容器。
【請求項４】
ラップフィルム収納容器Ｂ（１７）の背面板Ｂ（１８）の中央部分に、１本乃至４本の手指が挿入できる切抜き穴Ｂ（２０）を設ける時の位置に、当該切抜き穴Ｂ（２０）の形状の縁に沿ってミシン（１９）を入れたことを特徴とするラップフィルム収納容器。
【請求項５】
反発力を有する材質の閉塞材（２１）の片面の一端に、接着剤（２２）を塗布し当該面を剥離紙（２３）で覆った部材を、背面板に切抜き穴を設けた時に、当該切抜き穴の背面板内側に於て、切抜き穴を開閉自在に塞ぐ位置に固着できる構成であることを特徴とする請求項３又は請求項４記載のラップフィルム収納容器。
【考案の詳細な説明】
【技術分野】
【０００１】  本考案は、ラップフィルムローラーを収納する切断歯付設の容器に関するものである。
【背景技術】
【０００２】  図１は本考案の図であるが切抜き穴と閉塞板を除き各部の呼称、符号を使い背景技術を説明する。食品包装用ラップフィルム６は円筒に巻回されロール状として、紙製の箱体形状で上面に蓋を設けてある容器１に収納されている。使用法は一方の手指でラップフィルム６の先端部を掴み使用量を引き出し食品等を覆い、他方の手指は収納容器１を上面から握り、親指で蓋板前面７の略中央部を押圧する。これによってラップフィルム６は蓋板前面７の内側に付設している切断歯の帯１０と、正面板８の外側に挟まれ固定される。この状態で両方の手指で引き合いながら収納容器１を握った手を内側に捻ることにより切断歯９がラップフィルム６に食い込み、そこを起点として全幅が切断される。【０００３】  収納容器１の長さはラップフィルム６の幅によるが、他の部分は略同じ長さであり、巻回数が多いと芯となる円筒が細く、巻回数が少ないと太く、ラップフィルムローラー１１の直径は略同じで収納容器１の内側に一定の隙間がある。収納容器１が新しいうちは切断のため収納容器１を強く握っても収納されているラップフィルムローラー１１が防壁の役割を果し収納容器１の歪みや凹みは隙間の分だけとなる。又、使用始めなので収納容器１の硬さもあって比較的スムーズに切断される。使用回数が多くなるにしたがってラップフィルムローラー１１が細くなり収納容器１の耐久力も弱まり収納容器１の歪み凹み等変形が大きくなってラップフィルム６の固定が不十分となるので、スムーズに切断できなくなる。切断できないときは、両手指の引き合う力と親指の押圧を強くして強引に切断するのであるがこのときラップフィルム６が捻れてしまうこともあり、再び引き出してやり直すことになる。このような事のくり返しが親指で押圧する部分の歪みや凹み等を大きくして切断ができなくなり、残りのラップフィルム６は使用できずに棄てることになる。【０００４】  スムーズに切断できない原因は、切断歯９の鋭利性、切断歯の帯１０の歪み、手の捻り方、ラップフィルム６の材質等が関連し合っていることや、収納容器１の歪みや凹み、特に蓋板前面７と正面板８の歪みや凹み等によってラップフィルム６が充分に固定されないためである。固定が不充分だとラップフィルム６が左右に動いたり、更に引き出されたりして切断歯９がラップフィルム６に食い込むきっかけができない。このような状態は切断歯の帯１０が直線状の場合が顕著であり、Ｖ字形でも固定が不充分であると食い込みは難しいのである。外力からの耐久力に弱い紙製の容器では歪みや凹み等変形はやむを得ないのである。このような弱点を補うため切断歯９の改良や収納容器１の歪み凹み等を防ぐ保護具が提案され公知となっているが、切断歯９の形状は手指を傷つけないものが求められるので改良には限界があり、保護具は付属品として収納容器１に装着するので適切な改善でなない。【０００５】  切断後にラップフィルム６が巻戻って切断端がラップフィルムローラー１１に吸着して見えなくなることがある、これを探すには時間と根気を要する、見つけることができないと残りは使用できない、この巻戻り防止は略改善されている。
【先行技術文献】
【特許文献】
【０００６】
【特許文献１】特開  ２０１３−１３９２９３
【特許文献２】特開  ２０１１−１２６６００
【考案の概要】
【考案が解決しようとする課題】
【０００７】  前記の背景技術で述べたように、ラップフィルム６がスムーズに切断できないのは、正面板８や蓋板前面７の歪みや凹み、切断歯の帯１０の歪み等によってラップフィルム６が正面板８と切断歯の帯１０の間に充分に固定されないので、切断時の力によって左右に動いたり、更に引き出されたりして切断歯９がラップフィルム６に食い込み難くなる、これが主な原因である。紙製の容器なので外力に弱く変形等は止む得ないのであるが、この弱点を補うことができれば変形等が抑えられ、ラップフィルム６が充分に固定されるので、スムーズに切断ができる。本考案は収納容器１に大きな変更を加えることなく、補助具を付加することもなくスムーズな切断ができることを課題とする。
【課題を解決するための手段】
【０００８】  本考案は、収納容器１の背面板２の略中央部に、１本乃至４本の手指が入る大きさの切抜き穴３を設け、収納容器１を持った方の手指の１本又は２本の指先を該切抜き穴３に挿入し、その指先で収納されているラップフィルムローラー１１を正面板８に押圧して、親指は蓋板前面７を押圧しラップフィルム６を固定する、この状態は、正面板８、ラップフィルム６、切断歯の帯１０、蓋板前面７とラップフィルムローラー１１を１本又は２本の指先と親指で同時に掴んだ状態なので、親指の力を強くしても同等の力でラップフィルムローラー１１も押圧することになり、ラップフィルムローラー１１が防壁の役割をして収納容器１を歪みや凹み等変形させる手指の力から収納容器１を守る。【０００９】  なお、この状態はラップフィルム６をしっかり固定することになるので、切断のため収納容器１を持った手を内側に強く捻っても、ラップフィルム６が左右にずれたり更に引き出されることもなくスムーズな切断ができる。このようにして収納容器１に大きな変更を加えることなく、又、補助具も付加しないで収納容器１の変形等を防ぎ、ラップフィルム６が充分に固定され、切断歯９が食い込みやすい状態になりスムーズな切断が得られる。【００１０】  請求項１に係るものは上記説明のように、収納容器１の変形を防ぐこととスムーズな切断を目的にラップフィルムローラー１１を利用するために当初から切抜き穴３を設けている。切断時に収納容器１を握った手指を内側に捻っても充分に固定されたラップフィルム６は、左右にずれたり更に引き出されることがないので切断歯９がラップフィルム６に食い込むきっかけができやすくなりスムーズな切断ができる。【００１１】  請求項２に係るものは、切抜き穴３から小虫等の侵入や塵の入るのを防ぐためのもので図１に示すように、切抜き穴３より大きな薄いポリプロピレン等の反発力のある材質の閉塞板４を、その一端を収納容器１の背面板２の内側に固着する。図５に示したように、指先を挿入すると閉塞板４が押され、これを介してラップフィルムローラー１１が正面板８を押圧する。指先を抜くと閉塞板４自体の反発力によって元の状態に戻り切抜き穴３を閉塞する。このような作用が求められるので閉塞板４の固着する一端は切抜き穴３が開閉される適宜な位置であればよい。【００１２】  請求項３に係るものは、請求項１の提案の当初から切抜き穴を設けているのに対して、本請求項は容器の変形が現れたときに切抜き穴を設ける提案である。そこで、収納容器Ａ１３の背面板Ａ１４に切抜き穴Ａ１６を設ける位置に該切抜き穴Ａ１６の形状の縁に沿って切れ目１５を入れておく。本提案は幅の狭いラップフィルム６を収納する容器に適している。ラップフィルム６の幅が広いとそれに伴って収納容器Ａ１３の横幅も長くなり、その中央部を親指で押圧するので箱体状でも紙製であるため外力に対する耐久力に弱い。これに比べて狭いラップフィルム６の場合は横幅も短いので比較的耐久性がある。この耐久性があることと、収納されているラップフィルムローラー１１が防壁の作用をして、容器の使用始めのうちは親指の押圧による容器の歪みや凹み等を容器の中から支えるが、使用回数が多くなると収納容器Ａ１３の耐久力が弱まり、��、ラップフィルムローラー１１が細くなって防壁の作用がなくなる。その結果スムーズな切断ができない。このような状態になると切抜き穴Ａ１６を設け収納されているラップフィルムローラー１１を利用することになる。このときのために切れ目１５を入れておくと切抜き穴Ａ１６を容易に設けることができる。【００１３】  請求項４に係るものは、請求項３における切れ目１５をミシン１９に置き換えたものであり、課題を解決するための手段の方法等は前述の請求項３に係るものと同じである。【００１４】  請求項５に係る閉塞材２１は、請求項３又は４で設けた切れ目１５又はミシン１９を切り取り、切抜き穴Ａ１６又は切抜き穴Ｂ２０を設けた場合に於て、小虫等の侵入や塵が入るのを防ぐためのものであり、当該切抜き穴より大きく薄いポリプロピレン等の反発力のある材質を用いたもので、片面の一端に接着剤２２を塗布してその面を剥離紙２３で覆い別体として設け、使用時に剥離紙２３を剥いで背面板内側の当該切抜き穴を開閉自在にできる適宣位置に固着する。材質はポリプロピレンに限るものではなく、薄くて反発力があり形状が保持されているものであればよい。
【考案の効果】
【００１５】  従来の収納容器は、ラップフィルムローラー１１を利用できない形状であるため、ラップフィルム６を切断歯の帯１０の部位に固定するために、親指の押圧する力を正面板８と蓋板前面７で支えている。紙製の容器では耐久性に限界があるのでラップフィルム６の固定は不十分になる、一定の強さで固定されないとスムーズに切断できない。歪みや凹み等変形が大きくなると巻回数が多く幅の広いラップフィルム６では最後まで使い切ることができない事もある。これに対してラップフィルムローラー１１の防壁作用を利用することで紙製の容器の弱点が補われて次のような効果が期待できる。先ず収納容器１の歪みや凹み等の変形を防ぐ。ラップフィルムローラー１１を掴むような状態になるのでラップフィム６がしっかり固定され、幅の広さや巻回数にかかわらずスムーズな切断ができ最後まで使い切ることができ無駄にならない。変形すると蓋１２が持ち上って隙間から小虫や塵が入る、外観上も好ましくないうえ不衛生な印象を与える、これらも改善される。【００１６】  スムーズに切断できないときは両手の指の力を強くしてバランスをとりながら、食器等の食品のもれなどに注意しつつ再び切断の手順を行う。再三の手順のうちにラップフィルム６が互いに吸着したり捻れたり、不整に切断されると再び引き出してやり直すことになる。これらは僅かな時間や気づかいであるが、この積み重ねが使用に不快感をもつようになる。多忙なときや使用回数が多い時には尚更である。このような不快感が解消される。簡単に使用できる用品でありながら両手指の微妙なバランスや力の配分を必要とし、これが不得意になった年配者はラップフィルムローラー１１を利用することにより使用し易い容器になる。広く普及し使用頻度が高い必需品なので欠点をできる限り改善することが必要である。本考案は小さな改良により快適に使用できるという効果が期待できる。
【図面の簡単な説明】
【００１７】
【図１】本考案の実施の形態を示す斜視図である。
【図２】本考案の実施の形態を示す背面斜視図である。
【図３】本考案の実施の形態を示す一部切欠きの平面断面図である。
【図４】本考案の実施の形態を示す左側面断面図である。
【図５】本考案の使用時の形態を示す一部切欠きの平面断面図である。
【図６】本考案の使用時の形態を示す左側面断面図である。
【図７】本考案の切れ目を入れた背面斜視図である。
【図８】本考案のミシンを入れた背面斜視図である。
【図９】本考案の別体として設ける閉塞材の斜視図である。
【考案の実施するための形態】
【００１８】  図１は請求項１の提案である背面板２の一部を切り抜き、切抜き穴３を設けたものであり、閉塞板４の一端を背面板２の内側の適宣位置に固着して該切抜き穴３が開閉自在になるように設定している。図１は、収納容器１の蓋１２を開けた状態の斜視図で内部にラップフィルムローラー１１を収納している。当該切抜き穴３の位置は次に述べるようにして定める。一定の幅のラップフィルム６を使用量引き出し、正面板８と切断歯の帯１０の間に固定するには蓋板前面７の中央部分を親指で押圧することが効果的である。これにより蓋板前面７、切断歯の帯１０、ラップフィルム６、正面板８が同時に押圧される。他の手指の１本乃至４本を切抜き穴３に挿入して収納されているラップフィルムローラー１１を押圧する、この状態は親指と挿入した手指で蓋板前面７やラップフィルムローラー１１等掴むことになる。この状態になるために親指の位置に対応するように切抜き穴３の位置を定める。掴む状態であるから親指と他の指の力が同等に加えられていることと、ラップフィルムローラー１１が正面板８を容器の内側で支えることで、収納容器１には容器を変形させる力が加わらない。
【００１９】  図２は、背面板２の略中央部に切抜き穴３を設けた背面斜視図である。切抜き穴３は楕円形で示しているがこの形に限るものではなく、収納容器１の強度に影響が少ない形が望ましく、ラップフィルムローラー１１を押圧する手指が挿入できる形状であればよい。
【００２０】  図３は、ラップフィルムローラー１１を押圧していない状態の一部切欠けした平面断面図である。図４はその側面断面図で双方とも閉塞板４が切抜き穴３を塞いでいることを示している。
【００２１】  図５は、指先を切抜き穴３に挿入し閉塞板４を押し開けてラップフィルムローラー１１を押圧し、親指は蓋板前面７を押圧している状態を示す一部切欠きの平面断面図である。図１、図５の矢印で示したように閉塞板４の一端を固着している。図６はその側面断面図である。この状態から指先を除くと閉塞板４は自体の反発力により元の位置に戻り、図３図４のように切抜き穴３を塞ぐ。
【００２２】  図７は、図１のように当初から切抜き穴３を設けるものではなく、収納容器Ａ１３の背面板Ａ１４に切れ目１５を入れておくのである。これは、前記の課題を解決するための手段の項の［００１２］で述べたように、切抜き穴を設けない状態で使用した後に容器の変形等が現れたとき、ラップフィルムローラー１１の利用が望ましいので、この場合に切抜き穴Ａ１６を設け易くするためのものである。切れ目１５は切り取り易い形状にして切抜き穴Ａ１６を設ける位置にその形状を形どって入れておく。図８は、切れ目１５をミシン１９に置き替えたものである。
【００２３】  図９は、閉塞材２１の斜視図である。薄くて反発力のあるポリプロピレン等の材質で、切抜き穴Ａ１６又はＢ２０を塞ぐ大きさで、片面の一端に接着剤２２を塗布して塗布面を剥離紙２３で覆い、別体の構成品として設け使用時に剥離紙をはがして切抜き穴Ａ１６又はＢ２０が開閉自在になる位置に固着する。
【００２４】  収納容器は包装容器も兼ねているので請求項１のように当初から切抜き穴３を設けた場合は、該切抜き穴をシール等で閉塞することが必要である。請求項３や請求項４に基づく切れ目やミシンを設ける提案では、これらは容器の内部まで貫通しているので切れ目の幅や長さ、ミシンの孔の大きさによってはシール等で覆うことが必要である。
【符号の説明】
【００２５】  １  収納容器
２  背面板
３  切抜き穴
４  閉塞板
５  閉塞板固着部
６  ラップフィルム
７  蓋板前面
８  正面板
９  切断歯
１０  切断歯の帯
１１  ラップフィルムローラー
１２  蓋
１３  収納容器Ａ
１４  背面板Ａ
１５  切れ目
１６  切抜き穴Ａ
１７  収納容器Ｂ
１８  背面板Ｂ
１９  ミシン
２０  切抜き穴Ｂ
２１  閉塞材
２２  接着剤
２３  剥離紙
【図１】
0003220420.tif 000003
【図２】
0003220420.tif 000004
【図３】
0003220420.tif 000005
【図４】
0003220420.tif 000006
【図５】
0003220420.tif 000007
【図６】
0003220420.tif 000008
【図７】
0003220420.tif 000009
【図８】
0003220420.tif 000010
【図９】
0003220420.tif 000011